(57)【要約】  本発明は、ＣＰＮＳ環境における遠距離終端端末の制御システムおよび方法と、このためのＣＰＮＳサーバー、移動通信端末に関する。本発明に係るＣＰＮＳ環境における遠距離終端端末の制御システムは、移動通信端末から他の移動通信端末と近距離無線通信網を介して情報を送受信する終端端末の情報要請を受けると、前記移動通信端末が終端端末の情報の提供を受けることができるか否かに対する認証手順を行った後、前記終端端末と結ばれた他の移動通信端末を把握して終端端末の情報を要請して受信し、これを前記移動通信端末に提供するＣＰＮＳサーバーと、前記ＣＰＮＳサーバーに自分の近距離無線通信領域ではない領域に位置する終端端末の情報を要請して受信した後、前記ＣＰＮＳサーバーを介して当該終端端末と情報を送受信して動作を制御する移動通信端末と、を備える。これにより、遠距離からも他の移動通信端末と結ばれた終端端末を制御・管理することができるという効果が期待できる。
2012507967.tif 000002
【特許請求の範囲】
【請求項１】
移動通信端末から他の移動通信端末と近距離無線通信網を介して情報を送受信する終端端末の情報要請を受けると、前記移動通信端末が終端端末の情報の提供を受けることができるか否かに対する認証手順を行った後、前記終端端末と結ばれた他の移動通信端末を把握して終端端末の情報を要請して受信し、これを前記移動通信端末に提供するＣＰＮＳサーバーと、
前記ＣＰＮＳサーバーに自分の近距離無線通信領域ではない領域に位置する終端端末の情報を要請して受信した後、前記ＣＰＮＳサーバーを介して当該終端端末と情報を送受信して動作を制御する移動通信端末と、
を備える、ＣＰＮＳ環境における遠距離終端端末の制御システム。
【請求項２】
前記ＣＰＮＳサーバーは、終端端末および他の移動通信端末の端末情報を予め記憶することを特徴とする請求項１に記載のＣＰＮＳ環境における遠距離終端端末の制御システム。
【請求項３】
前記移動通信端末は、他の移動通信端末と結ばれた終端端末と以前に少なくとも１回以上情報を送受信した履歴があり、自分のモバイルＩＤと終端端末のＩＤおよび関連情報を整合させた上で記憶して管理することを特徴とする請求項１に記載のＣＰＮＳ環境における遠距離終端端末の制御システム。
【請求項４】
前記終端端末は、移動通信端末と以前に少なくとも１回以上情報を送受信した履歴があり、移動通信端末と他の移動通信端末のモバイルＩＤおよび関連情報を整合させた上で記憶して管理することを特徴とする請求項１に記載のＣＰＮＳ環境における遠距離終端端末の制御システム。
【請求項５】
遠距離に位置する特定の移動通信端末に他の移動通信端末と近距離無線通信を行う終端端末の情報を提供するためのＣＰＮＳサーバーであって、
移動通信網と通信を行うための通信インタフェース部と、
移動通信端末から送信される他の移動通信端末と結ばれて近距離無線通信を行う終端端末の情報要請を受ける終端端末情報要請受信部と、
移動通信端末が終端端末の情報を要請する資格があるか否かを確認する認証処理部と、
認証処理部によって移動通信端末が認証されれば、終端端末を基準に終端端末と結ばれた他の移動通信端末を検索する終端端末検索部と、
他の移動通信端末に終端端末の情報を要請して受信し、これを終端端末の情報を要請した当該移動通信端末に提供する情報要請提供部と、
終端端末および他の移動通信端末の端末情報をはじめとしてＣＰＮＳサーバーに関連する情報を記憶するデータベースと、
を備える、ＣＰＮＳサーバー。
【請求項６】
前記情報要請提供部は、
前記移動通信端末から送信される終端端末のコンテンツ選択情報をはじめとする制御要請情報を受信すれば、当該要請に関する返却情報を移動通信端末に送信することを特徴とする請求項５に記載のＣＰＮＳサーバー。
【請求項７】
前記ＣＰＮＳサーバーは、
近距離無線通信網を介して終端端末と情報を送受信する移動通信端末のモバイルＩＤをはじめとする移動通信端末の情報をデータベースに登録して管理する移動通信端末情報管理部
をさらに備えることを特徴とする請求項５に記載のＣＰＮＳサーバー。
【請求項８】
前記ＣＰＮＳサーバーは、
近距離無線通信網を介して移動通信端末と情報を送受信する終端端末の仕様情報をはじめとして終端端末の情報をデータベースに記憶して管理する終端端末情報管理部
をさらに備えることを特徴とする請求項５に記載のＣＰＮＳサーバー。
【請求項９】
ＣＰＮＳサーバーと接続されて、遠距離から他の移動通信端末に結ばれた終端端末を制御するための移動通信端末であって、
近距離無線通信網または移動通信網との無線通信を行うための無線通信部と、
前記ＣＰＮＳサーバーに他の移動通信端末と近距離無線通信を行う終端端末の情報を要請する終端端末情報要請部と、
ＣＰＮＳサーバーから送信される終端端末の情報を用いて、終端端末のコンテンツ要請、サービス開始／終了をはじめとするサービス制御を行う終端端末制御部と、
を備える、移動通信端末。
【請求項１０】
前記移動通信端末は、
前記終端端末の料金が自分に課金されるように前記ＣＰＮＳサーバーに自分の課金関連情報を提供する課金情報提供部
をさらに備えることを特徴とする請求項９に記載の移動通信端末。
【請求項１１】
前記移動通信端末は、
前記ＣＰＮＳサーバーからの終端端末の情報を自分と近距離無線通信を直接的に行う近距離終端端末に提供して、近距離終端端末が終端端末を制御するようにする終端端末情報管理部
をさらに備えることを特徴とする請求項９に記載の移動通信端末。
【請求項１２】
ＣＰＮＳサーバーにおいて移動通信端末の要請に応じて遠距離に位置する終端端末の情報を提供するための方法であって、
ａ）ＣＰＮＳサーバーが、移動通信端末から他の移動通信端末と近距離無線通信網を介して情報を送受信する終端端末の情報要請を受けるステップと、
ｂ）前記ステップａ）において情報を要請した移動通信端末が終端端末の情報の提供を受ける資格があるか否かに対する認証手順を行うステップと、
ｃ）前記ステップｂ）における確認の結果、移動通信端末が終端端末の情報の提供を受ける資格があれば、前記終端端末と結ばれた他の移動通信端末を把握して終端端末の情報を要請して受信するステップと、
ｄ）前記ステップｃ）において受信した終端端末の情報を前記移動通信端末に提供するステップと、
を含む、ＣＰＮＳ環境における遠距離終端端末の制御方法。
【請求項１３】
前記ステップｄ）後に、前記移動通信端末から送信される終端端末のコンテンツ選択情報をはじめとする制御要請情報を受信すれば、当該要請に関する返却情報を提供するステップ
をさらに含むことを特徴とする請求項１２に記載のＣＰＮＳ環境における遠距離終端端末の制御方法。
【請求項１４】
前記ステップａ）前に、
近距離無線通信網を介して終端端末と情報を送受信する移動通信端末のモバイルＩＤ、終端端末のＩＤ、終端端末の仕様をはじめとする移動通信端末および終端端末の情報を登録するステップ
をさらに含むことを特徴とする請求項１２に記載のＣＰＮＳ環境における遠距離終端端末の制御方法。
【請求項１５】
ＣＰＮＳサーバーと接続されて、移動通信端末が他の移動通信端末と結ばれた遠距離終端端末を制御するための方法であって、
ａ）移動通信端末がＣＰＮＳサーバーに他の移動通信端末と近距離無線通信を行う終端端末の情報を要請するステップと、
ｂ）ＣＰＮＳサーバーから送信される終端端末の情報を用いて、終端端末のコンテンツ要請、サービス開始／終了をはじめとするサービス制御を行うステップと、
ｃ）終端端末の料金が自分に課金されるように前記ＣＰＮＳサーバーに自分の課金関連情報を提供するステップと、
を含む、ＣＰＮＳ環境における遠距離終端端末の制御方法。
【請求項１６】
前記ステップｂ）後に、
前記ＣＰＮＳサーバーからの終端端末の情報を自分と近距離無線通信を直接的に行う近距離終端端末に提供して、近距離終端端末が終端端末を制御するようにするステップ
をさらに含むことを特徴とする請求項１５に記載のＣＰＮＳ環境における遠距離終端端末の制御方法。
【発明の詳細な説明】
【技術分野】
【０００１】
本発明は、ＣＰＮＳ環境における遠距離終端端末の制御システムおよび方法と、このためのＣＰＮＳサーバー、移動通信端末に係り、さらに詳しくは、移動通信端末に、遠距離に位置する他の移動通信端末と近距離無線通信を行う終端端末を制御・管理せしめるためのＣＰＮＳ環境における遠距離終端端末の制御システムおよび方法と、このためのＣＰＮＳサーバー、移動通信端末に関する。
【背景技術】
【０００２】
最近の情報通信技術の発展には目を見張るものがあり、これに伴い、文書、イメージおよび動画などを再生可能なＭＰ３（ＭＰＥＧオーディオレイヤー）プレーヤー、パーソナルマルチメディアプレーヤー（ＰＭＰ：Ｐｅｒｓｏｎａｌ  Ｍｕｌｔｉｍｅｄｉａ  Ｐｌａｙｅｒ）、ウルトラモバイルパソコン（ＵＭＰＣ：Ｕｌｔｒａ  Ｍｏｂｉｌｅ  Ｐｅｒｓｏｎａｌ  Ｃｏｍｐｕｔｅｒ）などの様々な終端端末が用いられている。
この種の終端端末は、ユーザーが所望するコンテンツをパソコン（ＰＣ）からダウンロードして再生するが、ユーザーが移動中であるか、あるいは、ＰＣと接続不能な状況では所望のコンテンツをダウンロードすることができないという不都合がある。
上述した不都合を解消するために、終端端末にブルーテゥース、ウルトラワイドバンド（ＵＷＢ：Ｕｌｔｒａ  Ｗｉｄｅ  Ｂａｎｄ）などの近距離無線通信網に接続可能な通信手段を付加する技術が提案されている。
同技術によれば、近距離通信網を介して外部装置からコンテンツをダウンロードすることができる。しかしながら、この方法は、外部装置に記憶されたコンテンツのダウンロードは可能であるとはいえ、ユーザーが所望するものの、外部装置に記憶されてはいないコンテンツのダウンロードは行えないという不都合が存在する。
また、たとえ近距離無線通信を利用しても、既存の移動通信を用いて移動通信端末がサービスプロバイダーや移動通信社から提供されていたコンテンツまたはサービスを直接的に提供されることはできない。
【発明の概要】
【発明が解決しようとする課題】
【０００３】
上述した不都合を解消するために、本発明は、近距離無線通信を用いてＰＭＰなどの終端端末を移動通信端末に接続し、移動通信端末の移動通信機能を用いて既存のコンテンツサービスプロバイダーに接近する形で所望のサービスの提供を受けるためのＣＰＮＳ技術を提案する。
一方、たとえＣＰＮＳ環境において遠距離に位置する移動通信端末が他の移動通信端末と近距離無線通信を行う終端端末を制御する必要性があっても、関連する技術が提供されておらず、終端端末を制御することができないのが現状である。
本発明は上述した不都合を解消するためになされたものであり、その目的は、ＣＰＮＳ環境において遠距離に位置する移動通信端末が他の移動通信端末と結ばれて近距離無線通信を行う終端端末の情報の提供を受けて終端端末を制御・管理できるようにするためのＣＰＮＳ環境における遠距離終端端末の制御システムおよび方法と、このためのＣＰＮＳサーバー、移動通信端末を提供することである。
また、本発明の他の目的は、ユーザーが他の移動通信端末を介して遠距離に位置する自分の終端端末を制御・管理できるようにすることである。
【課題を解決するための手段】
【０００４】
上述した目的を達成するために、本発明に係るＣＰＮＳ環境における遠距離終端端末の制御システムは、移動通信端末から他の移動通信端末と近距離無線通信網を介して情報を送受信する終端端末の情報要請を受けると、前記移動通信端末が終端端末の情報の提供を受けることができるか否かに対する認証手順を行った後、前記終端端末と結ばれた他の移動通信端末を把握して終端端末の情報を要請して受信し、これを前記移動通信端末に提供するＣＰＮＳサーバーと、前記ＣＰＮＳサーバーに自分の近距離無線通信領域ではない領域に位置する終端端末の情報を要請して受信した後、前記ＣＰＮＳサーバーを介して当該終端端末と情報を送受信して動作を制御する移動通信端末と、を備える。
前記ＣＰＮＳ環境における遠距離終端端末の制御システムにおいて、前記ＣＰＮＳサーバーは、終端端末および他の移動通信端末の端末情報を予め記憶することが好ましい。
前記ＣＰＮＳ環境における遠距離終端端末の制御システムにおいて、前記移動通信端末は、他の移動通信端末と結ばれた終端端末と以前に少なくとも１回以上情報を送受信した履歴があり、自分のモバイルＩＤと終端端末のＩＤおよび関連情報を整合させた上で記憶して管理することが好ましい。
前記ＣＰＮＳ環境における遠距離終端端末の制御システムにおいて、前記終端端末は、移動通信端末と以前に少なくとも１回以上情報を送受信した履歴があり、移動通信端末と他の移動通信端末のモバイルＩＤおよび関連情報を整合させた上で記憶して管理することが好ましい。
上述した目的を達成するために、本発明に係るＣＰＮＳサーバーは、遠距離に位置する特定の移動通信端末に他の移動通信端末と近距離無線通信を行う終端端末の情報を提供するためのＣＰＮＳサーバーであって、移動通信網と通信を行うための通信インタフェース部と、移動通信端末から送信される他の移動通信端末と結ばれて近距離無線通信を行う終端端末の情報要請を受ける終端端末情報要請受信部と、移動通信端末が終端端末の情報を要請する資格があるか否かを確認する認証処理部と、認証処理部によって移動通信端末が認証されれば、終端端末を基準に終端端末と結ばれた他の移動通信端末を検索する終端端末検索部と、他の移動通信端末に終端端末の情報を要請して受信し、これを終端端末の情報を要請した当該移動通信端末に提供する情報要請提供部と、終端端末および他の移動通信端末の端末情報をはじめとしてＣＰＮＳサーバーに関連する情報を記憶するデータベースと、を備える。
前記ＣＰＮＳサーバーにおいて、前記情報要請提供部は、前記移動通信端末から送信される終端端末のコンテンツ選択情報をはじめとする制御要請情報を受信すれば、当該要請に関する返却情報を移動通信端末に送信することが好ましい。
前記ＣＰＮＳサーバーは、近距離無線通信網を介して終端端末と情報を送受信する移動通信端末のモバイルＩＤをはじめとする移動通信端末の情報をデータベースに登録して管理する移動通信端末情報管理部をさらに備えることが好ましい。
前記ＣＰＮＳサーバーは、近距離無線通信網を介して移動通信端末と情報を送受信する終端端末の仕様情報をはじめとして終端端末の情報をデータベースに記憶して管理する終端端末情報管理部をさらに備えることが好ましい。
上述した目的を達成するために、本発明に係る移動通信端末は、ＣＰＮＳサーバーと接続されて、遠距離において他の移動通信端末に結ばれた終端端末を制御するための移動通信端末であって、近距離無線通信網または移動通信網との無線通信を行うための無線通信部と、前記ＣＰＮＳサーバーに他の移動通信端末と近距離無線通信を行う終端端末の情報を要請する終端端末情報要請部と、ＣＰＮＳサーバーから送信される終端端末の情報を用いて、終端端末のコンテンツ要請、サービス開始／終了をはじめとするサービス制御を行う終端端末制御部と、を備える。
本発明に係る移動通信端末は、前記終端端末の料金が自分に課金されるように前記ＣＰＮＳサーバーに自分の課金関連情報を提供する課金情報提供部をさらに備えることが好ましい。
本発明に係る移動通信端末は、前記ＣＰＮＳサーバーからの終端端末の情報を自分と近距離無線通信を直接的に行う近距離終端端末に提供して、近距離終端端末が終端端末を制御するようにする終端端末情報管理部をさらに備えることが好ましい。
上述した目的を達成するために、本発明に係るＣＰＮＳサーバーおよび移動通信端末を備えるシステムにおける遠距離に位置する終端端末の制御方法は、ＣＰＮＳサーバーおよび移動通信端末を備えるシステムにおいて遠距離に位置する終端端末を制御するための方法であって、ａ）ＣＰＮＳサーバーが、移動通信端末から他の移動通信端末と近距離無線通信網を介して情報を送受信する終端端末の情報要請を受けるステップと、ｂ）ＣＰＮＳサーバーが、前記ステップａ）において情報を要請した移動通信端末が終端端末の情報の提供を受ける資格があるか否かに対する認証手順を行うステップと、ｃ）前記ステップｂ）における確認の結果、移動通信端末が終端端末の情報の提供を受ける資格があれば、ＣＰＮＳサーバーが前記終端端末と結ばれた他の移動通信端末を把握して終端端末の情報を要請して受信するステップと、ｄ）ＣＰＮＳサーバーが、前記ステップｃ）において受信した終端端末の情報を前記移動通信端末に提供するステップと、ｅ）移動通信端末が、ＣＰＮＳサーバーから前記終端端末に提供されるコンテンツを選択し、サービスの開始／終了をはじめとして終端端末を管理・制御するステップと、を含む。
前記ＣＰＮＳサーバーおよび移動通信端末を備えるシステムにおける遠距離に位置する終端端末の制御方法は、前記ステップｅ）後に、前記移動通信端末が前記ＣＰＮＳサーバーからの終端端末の情報を自分と近距離無線通信を直接的に行う近距離終端端末に提供して、近距離終端端末が終端端末を制御するようにするステップをさらに含むことが好ましい。
前記ＣＰＮＳサーバーおよび移動通信端末を備えるシステムにおける遠距離に位置する終端端末の制御方法は、前記ステップｅ）後に、前記移動通信端末が自分の課金関連情報を前記ＣＰＮＳサーバーに送信して終端端末のサービスの利用に伴う料金が自分に課金されるようにするステップをさらに含むことが好ましい。
上述した目的を達成するために、本発明に係るＣＰＮＳ環境における遠距離終端端末の制御方法は、ＣＰＮＳサーバーにおいて移動通信端末の要請に応じて遠距離に位置する終端端末の情報を提供するための方法であって、ａ）ＣＰＮＳサーバーが、移動通信端末から他の移動通信端末と近距離無線通信網を介して情報を送受信する終端端末の情報要請を受けるステップと、ｂ）前記ステップａ）において情報を要請した移動通信端末が終端端末の情報の提供を受ける資格があるか否かに対する認証手順を行うステップと、ｃ）前記ステップｂ）における確認の結果、移動通信端末が終端端末の情報の提供を受ける資格があれば、前記終端端末と結ばれた他の移動通信端末を把握して終端端末の情報を要請して受信するステップと、ｄ）前記ステップｃ）において受信した終端端末の情報を前記移動通信端末に提供するステップと、を含む。
本発明に係るＣＰＮＳ環境における遠距離終端端末の制御方法は、前記ステップｄ）後に、前記移動通信端末から送信される終端端末のコンテンツ選択情報をはじめとする制御要請情報を受信すれば、当該要請に関する返却情報を提供するステップをさらに含むことが好ましい。
本発明に係るＣＰＮＳ環境における遠距離終端端末の制御方法は、前記ステップａ）前に、近距離無線通信網を介して終端端末と情報を送受信する移動通信端末のモバイルＩＤ、終端端末のＩＤ、終端端末の仕様をはじめとする移動通信端末および終端端末の情報を登録するステップをさらに含むことが好ましい。
上述した目的を達成するために、本発明に係るＣＰＮＳ環境における遠距離終端端末の制御方法は、ＣＰＮＳサーバーと接続されて、移動通信端末が他の移動通信端末と結ばれた遠距離終端端末を制御するための方法であって、ａ）移動通信端末がＣＰＮＳサーバーに他の移動通信端末と近距離無線通信を行う終端端末の情報を要請するステップと、ｂ）ＣＰＮＳサーバーから送信される終端端末の情報を用いて、終端端末のコンテンツ要請、サービス開始／終了をはじめとするサービス制御を行うステップと、ｃ）終端端末の料金が自分に課金されるように前記ＣＰＮＳサーバーに自分の課金関連情報を提供するステップと、を含む。
前記ＣＰＮＳ環境における遠距離終端端末の制御方法は、前記ステップｂ）後に、前記ＣＰＮＳサーバーからの終端端末の情報を自分と近距離無線通信を直接的に行う近距離終端端末に提供して、近距離終端端末に終端端末を制御せしめるステップをさらに含むことが好ましい。
【発明の効果】
【０００５】
本発明に係るＣＰＮＳ環境における遠距離終端端末の制御システムおよび方法と、このためのＣＰＮＳサーバー、移動通信端末によれば、遠距離からも他の移動通信端末と結ばれた終端端末を制御・管理することができるという効果が期待できる。
また、本発明によれば、ユーザーが他の移動通信端末を介して遠距離に位置する自分の終端端末を制御・管理することができるという効果が期待できる。
加えて、移動通信社やコンテンツサービスプロバイダーにとっては、移動通信端末に限られていた既存のサービスの提供範囲を様々な端末まで拡張することができ、これにより、コンテンツの使用頻度および収益の増大を図ることができるというメリットがある。
【図面の簡単な説明】
【０００６】
【図１】図１は、本発明に係るＣＰＮＳ環境における遠距離終端端末の制御システムと通信網との接続関係を示す図である。
【図２】図２は、本発明に係るＣＰＮＳサービスのための初期設定方法を説明するためのフローチャートである。
【図３】図３は、本発明に係るＣＰＮＳサーバーの構成を示す図である。
【図４】図４は、本発明に係る移動通信端末の構成を示す図である。
【図５】図５は、本発明に係る遠距離終端端末の制御方法を説明するためのフローチャートである。
【発明を実施するための形態】
【０００７】
本発明におけるコンバージェンスパーソナルネットワークサービス（ＣＰＮＳ：Ｃｏｎｖｅｒｇｅｄ  Ｐｅｒｓｏｎａｌ  Ｎｅｔｗｏｒｋ  Ｓｅｒｖｉｃｅ）環境とは、近距離無線通信は行えるものの、移動通信網とのセルラー通信は行えない携帯用端末がパーソナルネットワーク（ＰＮ：Ｐｅｒｓｏｎａｌ  Ｎｅｔｗｏｒｋ）ゲートウェイの役割を果たす移動通信端末と近距離無線通信を行うことで、セルラー通信を通して提供可能なデータサービスを利用できるようにするものである。
以下、添付図面に基づき、本発明の好適な実施形態を詳述する。
【０００８】
図１は、本発明に係るＣＰＮＳ環境における遠距離終端端末の制御システムと通信網との接続関係を示す図である。
同図を参照すると、本発明に係るＣＰＮＳ環境における遠距離終端端末の制御システムは、移動通信端末２００−ａから他の移動通信端末２００−ｂと近距離無線通信網を介して情報を送受信する終端端末３００−ｂの情報要請を受けると、移動通信端末２００−ａが終端端末３００−ｂの情報の提供を受けることができるか否かに対する認証手順を行った後、終端端末３００−ｂと結ばれた他の移動通信端末２００−ｂを把握して終端端末３００−ｂの情報を要請して受信し、これを移動通信端末２００−ａに提供するＣＰＮＳサーバー１００と、ＣＰＮＳサーバー１００に自分の近距離無線通信領域ではない領域に位置する終端端末３００−ｂの情報を要請して受信した後、ＣＰＮＳサーバー１００を介して当該終端端末３００−ｂと情報を送受信して動作を制御する移動通信端末２００と、を備える。
ここで、ＣＰＮＳサーバー１００は、終端端末３００−ｂおよび他の移動通信端末２００−ｂの端末情報を予め記憶する。
また、移動通信端末２００−ａは、他の移動通信端末２００−ｂと結ばれた終端端末３００−ｂと以前に少なくとも１回以上情報を送受信した履歴があり、自分のモバイルＩＤと終端端末のＩＤおよび関連情報を整合させた上で記憶して管理する。
前記、終端端末３００−ｂは、移動通信端末２００−ａと以前に少なくとも１回以上情報を送受信した履歴があり、移動通信端末２００−ａおよび他の移動通信端末２００−ｂのモバイルＩＤおよび関連情報を整合させた上で記憶して管理する。
以下、参照番号３００−ａおよび３００−ｂの終端端末には参照番号３００を付し、参照番号２００−ａおよび２００−ｂの移動通信端末には参照番号２００を付する。
図１に示す終端端末３００とは、パーソナルマルチメディアプレーヤー（ＰＭＰ）、ＭＰ３プレーヤー、カーナビゲーション端末、携帯電話、ゲーム機など、近距離無線通信機能付き携帯用端末のことをいう。
一方、近距離無線通信網は、無線ＬＡＮ、ブルーテゥース、ＵＷＢなどをはじめとして、近距離無線通信が行える通信網を網羅する。
他方、図１に示すＣＰＮＳサーバー１００、移動通信端末２００および終端端末３００は、ＣＰＮＳサービスのための初期設定過程を経るが、この詳細については後述する。
【０００９】
図２は、本発明に係るＣＰＮＳサービスのための初期設定方法を説明するためのフローチャートである。
まず、終端端末３００は、ＣＰＮＳサービスを利用するために、パーソナルネットワーク（ＰＮ：Ｐｅｒｓｏｎａｌ  Ｎｅｔｗｏｒｋ）ゲートウェイデバイスの役割を果たす移動通信端末を検索する（Ｓ１０）。
次いで、終端端末３００は、ステップＳ１０において検索された移動通信端末２００にサービスを要請する。ここで、終端端末は、ＣＰＮＳ利用可能情報も一緒に送信する（Ｓ２０）。
この後、移動通信端末２００は、終端端末に送信されるサービス要請を受けると、終端端末のＣＰＮＳサービス利用可否をチェックする（Ｓ３０）。
ステップＳ３０におけるチェックの結果、終端端末がＣＰＮＳサービスを利用できると判断された場合に、移動通信端末２００は終端端末３００にＣＰＮＳサービスが利用可能である旨の認証メッセージを送信する（Ｓ４０）。
終端端末３００は、移動通信端末からＣＰＮＳサービスが利用可能である旨の認証メッセージを受信すれば、自分のＩＤを送信する（Ｓ５０）。
移動通信端末２００は、終端端末３００から送信されるＩＤのフォーマットがＣＰＮＳから発給したＩＤフォーマットと一致するか否かをチェックして、終端端末３００から送信されるＩＤのフォーマットがＣＰＮＳから発給したＩＤフォーマットと一致する場合に、終端端末３００にサービスが利用可能である旨の認証メッセージを送信する（Ｓ６０、Ｓ７０）。
この後、移動通信端末２００は、ＣＰＮＳサーバー１００に、自分および終端端末３００の認証情報およびＩＤを送信する（Ｓ８０）。
ＣＰＮＳサーバー１００は、移動通信端末から送信される認証情報およびＩＤをチェックして、ＣＰＮＳサービスの利用可否を判断する（Ｓ９０）。
もし、ステップ９０における判断の結果、移動通信端末および終端端末が両方ともサービス利用可能であると判断された場合に、ＣＰＮＳサーバー１００はこれを終端端末に報知し、今後コンテンツ要請をはじめとするＣＰＮＳサービスを利用するようにする（Ｓ１００）。
もし、ステップ９０における判断の結果、移動通信端末および終端端末のどちらか一方でもサービスが利用不可であると判断された場合に、ＣＰＮＳサーバー１００はその旨を終端端末に報知し、ＣＰＮＳサービスのための初期設定過程を終了する。
一方、ステップＳ３０におけるチェックの結果、終端端末のＣＰＮＳサービスが利用不可であると判断された場合に、移動通信端末２００は終端端末３００にサービスが利用不可である旨のメッセージを送信した後、ＣＰＮＳサービスのための初期設定過程を終了する。
他方、ステップＳ６０におけるチェックの結果、終端端末のＩＤフォーマットがＣＰＮＳから発給したＩＤフォーマットと一致しない場合に、移動通信端末２００はサービスが利用不可である旨のメッセージを終端端末に送信した後、ＣＰＮＳサービスのための初期設定過程を終了する。
【００１０】
図３は、本発明に係るＣＰＮＳサーバーの構成を示す図である。
同図に示すように、ＣＰＮＳサーバー１００は、通信インタフェース部１１０と、移動通信端末情報管理部１２０と、終端端末情報管理部１３０と、終端端末情報要請受信部１４０と、認証処理部１５０と、終端端末検索部１６０と、情報要請提供部１７０およびデータベース１８０を備える。
より具体的に、通信インタフェース部１１０は、移動通信網と通信を行うための構成要素である。
移動通信端末情報管理部１２０は、近距離無線通信網を介して終端端末３００と情報を送受信する移動通信端末２００のモバイルＩＤをはじめとする移動通信端末の情報をデータベース１８０に登録して管理する。
終端端末情報管理部１３０は、近距離無線通信網を介して移動通信端末２００と情報を送受信する終端端末の仕様情報をはじめとして終端端末３００の情報をデータベースに記憶して管理する。
終端端末情報要請受信部１４０は、移動通信端末２００−ａから送信される他の移動通信端末２００−ｂと結ばれて近距離無線通信を行う終端端末３００−ｂの情報要請を受ける。
認証処理部１５０は、移動通信端末２００−ａが終端端末３００−ｂの情報を要請する資格があるか否かを確認する。
終端端末検索部１６０は、認証処理部１５０によって移動通信端末２００−ａが認証されれば、終端端末を基準に終端端末３００−ｂと結ばれた他の移動通信端末２００−ｂを検索する。
情報要請提供部１７０は、他の移動通信端末２００−ｂに終端端末の情報を要請して受信し、これを終端端末の情報を要請した当該移動通信端末２００−ａに提供する。
また、情報要請提供部１７０は、移動通信端末２００−ａから送信される終端端末３００−ｂのコンテンツ選択情報をはじめとする制御要請情報を受信すれば、当該要請に関する返却情報を移動通信端末２００−ａに送信する。
例えば、移動通信端末２００−ａが終端端末３００−ｂに関するコンテンツ選択情報、サービス開始／終了を要請した場合に、情報要請提供部１７０は、コンテンツ提供サーバー（図示せず）に当該コンテンツを要請し、コンテンツ提供サーバーから当該コンテンツを受信して移動通信端末２００−ａに転送するか、または、ＣＰＮＳサービスを開始／終了する。
データベース１８０は、終端端末３００および移動通信端末２００の端末情報をはじめとしてＣＰＮＳサーバーに関連する情報を記憶する。
【００１１】
図４は、本発明に係る移動通信端末の構成を示す図である。
同図に示すように、本発明に係る移動通信端末２００は、無線通信部２１０と、入力部２２０と、出力部２３０と、記憶部２４０と、終端端末情報要請部２５０と、終端端末制御部２６０と、課金情報提供部２７０および終端端末情報管理部２８０を備える。
前記移動通信端末２００における、近距離無線通信網または移動通信網との無線通信を行うための無線通信部２１０と、入力制御のための入力部２２０と、音声通話サービスやデータサービスの利用時に必要なデータを聴覚的または視覚的に提供するための出力部２３０と、各種のデータを記憶するための記憶部２４０は、移動通信端末の周知の構成であるため、その詳細な説明を省略する。
終端端末情報要請部２５０は、ＣＰＮＳサーバー１００に他の移動通信端末２００−ｂと近距離無線通信を行う終端端末３００−ｂの情報を要請する。
終端端末制御部２６０は、ＣＰＮＳサーバー１００から送信される終端端末の情報を用いて、終端端末のコンテンツ要請、サービス開始／終了をはじめとするサービス制御を行う。
課金情報提供部２７０は、終端端末２００−ｂの料金が自分に課金されるように前記ＣＰＮＳサーバー１００に自分の課金関連情報を提供する。
終端端末情報管理部２８０は、ＣＰＮＳサーバー１００からの終端端末の情報を自分と近距離無線通信を直接的に行う近距離終端端末３００−ａに提供して、近距離終端端末３００−ａが終端端末３００−ｂを制御できるようにする。
【００１２】
図５は、本発明に係る遠距離終端端末の制御方法を説明するためのフローチャートである。
まず、図示はしないが、ＣＰＮＳサーバー１００は、近距離無線通信網を介して終端端末３００と情報を送受信する移動通信端末２００のモバイルＩＤ、終端端末のＩＤ、終端端末の仕様をはじめとする移動通信端末２００および終端端末３００の情報を登録する。
移動通信端末２００−ａがＣＰＮＳサーバー１００に他の移動通信端末２００−ｂと近距離無線通信を行う終端端末３００−ｂの情報を要請する（Ｓ１０１）。
次いで、ＣＰＮＳサーバー１００は、移動通信端末２００−ａ（図５における移動通信端末２）から、他の移動通信端末２００−ｂ（図５における移動通信端末１）と近距離無線通信網を介して情報を送受信する終端端末３００−ｂ（図５における終端端末２）の情報要請を受ける（Ｓ１０１）。
ＣＰＮＳサーバー１００は、ステップＳ１０１において情報を要請した移動通信端末２００−ａが終端端末３００−ｂの情報の提供を受ける資格があるか否かに対する認証手順を行う。
確認結果、移動通信端末２００−ａが終端端末３００−ｂの情報の提供を受ける資格があれば、ＣＰＮＳサーバー１００は、終端端末３００−ｂと結ばれた他の移動通信端末２００−ｂを把握し、終端端末の情報を要請して受信する（Ｓ１０３〜Ｓ１０７）。
ＣＰＮＳサーバー１００は、ステップＳ１０７において受信した終端端末３００−ｂの情報を移動通信端末２００−ａに提供する（Ｓ１０９）。
この後、移動通信端末２００−ａが、ＣＰＮＳサーバー１００から送信された終端端末の情報を用いて、終端端末のコンテンツ要請、サービス開始／終了をはじめとするサービス制御を行う（Ｓ１１１）。
例えば、移動通信端末２００−ａは、終端端末３００−ｂに提供されるコンテンツを選択するか、または、サービスの開始／終了をはじめとして終端端末３００−ｂを管理・制御する。
ここで、ＣＰＮＳサーバー１００は、移動通信端末２００−ａから送信される終端端末３００−ｂのコンテンツ選択情報をはじめとする制御要請情報を受信すれば、当該要請に関する返却情報を提供する。
移動通信端末２００−ａは、ＣＰＮＳサーバー１００からの終端端末３００−ｂの情報を自分と近距離無線通信を直接的に行う近距離終端端末３００−ａに提供して、近距離終端端末３００−ａが終端端末３００−ｂを制御できるようにする（Ｓ１１３、Ｓ１１５）。
一方、図示はしないが、移動通信端末２００−ａは、自分の課金関連情報をＣＰＮＳサーバー１００に送信し、終端端末のサービスの利用に伴う料金が自分に課金されるようにする。
このように、本発明が属する技術分野における当業者は、本発明がその技術的思想や必須的特徴を変更することなく異なる具体的な形態で実施できるということが理解できるであろう。よって、上述した実施形態はあらゆる面において例示的なものであり、限定的ではないものと理解さるべきである。本発明の範囲は、前記詳細な説明よりは後述する特許請求の範囲によって開示され、特許請求の範囲の意味および範囲、ならびにその等価概念から導き出されるあらゆる変更または変形が本発明の範囲に含まれるものと解釈さるべきである。
【産業上の利用可能性】
【００１３】
以上述べたように、本発明に係るＣＰＮＳ環境における遠距離終端端末の制御システムおよび方法と、このためのＣＰＮＳサーバー、移動通信端末は、遠距離からも他の移動通信端末と結ばれた終端端末を制御・管理する必要性が高いものに適用して好適である。
【符号の説明】
【００１４】
１００  ＣＰＮＳサーバー
１１０  通信インタフェース部
１２０  移動通信端末情報管理部
１３０  終端端末情報管理部
１４０  終端端末情報要請受信部
１５０  認証処理部
１６０  終端端末検索部
１７０  情報要請提供部
１８０  データベース
２００  移動通信端末
２１０  無線通信部
２２０  入力部
２３０  出力部
２４０  記憶部
２５０  終端端末情報要請部
２６０  終端端末制御部
２７０  課金情報提供部
２８０  終端端末情報管理部
３００  終端端末
【図１】
2012507967.tif 000003
【図２】
2012507967.tif 000004
【図３】
2012507967.tif 000005
【図４】
2012507967.tif 000006
【図５】
2012507967.tif 000007
【国際調査報告】
2012507967.tif 000008
2012507967.tif 000009
2012507967.tif 000010
2012507967.tif 000011